(57)【要約】【課題】水性液体の吸収性に優れ、かつ、携帯性に優れる吸収具を提供すること。【解決手段】本発明の吸収具は、非透液性の袋体と、該袋体の外側に設けられ、吸水性樹脂を含む吸収部とを有する。【選択図】図１
2008067619.tif 000002
【特許請求の範囲】
【請求項１】
非透液性の袋体と、
該袋体の外側に設けられ、吸水性樹脂を含む吸収部とを有する、吸収具。
【請求項２】
透液性で、前記吸収部を覆う被覆部を有する、請求項１に記載の吸収具。
【請求項３】
前記被覆部が不織布である、請求項２に記載の吸収具。
【請求項４】
前記袋体の外側に第二の吸収部が設けられている、請求項１〜３のいずれかに記載の吸収具。
【請求項５】
前記袋体が二枚の非透液性基材の周縁を接合して形成されている、請求項１〜４のいずれかに記載の吸収具。
【請求項６】
前記吸収部が一方の前記非透液性基材に設けられ、前記第二の吸収部が他方の前記非透液性基材に設けられている、請求項５に記載の吸収具。
【請求項７】
前記吸収部の厚みが２０〜５００μｍである、請求項１〜６のいずれかに記載の吸収具。
【請求項８】
請求項１〜７のいずれかに記載のペットの汚物処理用吸収具。
【発明の詳細な説明】
【技術分野】
【０００１】
本発明は、吸収具に関する。より詳細には、吸収性に優れ、かつ、携帯性に優れる吸収具に関する。
【背景技術】
【０００２】
近年、ペット同伴可能な店（喫茶店、レストラン等）が増えてきている。外出先でペットが排尿した場合、ペットシート、トイレットペーパー、ティッシュペーパー等で尿を処理している。しかし、処理後のペーパーを収容するための別の袋を携帯する必要があり、携帯性に問題がある。一方、袋体と袋体の外側に設けられた紙とを有するペット用排泄物処理袋が種々提案されている（例えば、特許文献１および特許文献２）。しかし、これらは主に糞を対象としているので、尿を十分に吸収することができないという問題がある。このような問題は、被介護者、乳幼児の汚物処理においても同様である。
【特許文献１】特開２０００−３４００１号公報
【特許文献２】特開２００４−８１０７８号公報
【発明の開示】
【発明が解決しようとする課題】
【０００３】
本発明は上記従来の課題を解決するためになされたものであり、その目的とするところは、尿等の水性液体の吸収性に優れ、かつ、携帯性に優れる吸収具を提供することにある。
【課題を解決するための手段】
【０００４】
本発明の吸収具は、非透液性の袋体と、該袋体の外側に設けられ、吸水性樹脂を含む吸収部とを有する。
【０００５】
好ましい実施形態においては、透液性で、上記吸収部を覆う被覆部を有する。
【０００６】
好ましい実施形態においては、上記被覆部が不織布である。
【０００７】
好ましい実施形態においては、上記袋体の外側に第二の吸収部が設けられている。
【０００８】
好ましい実施形態においては、上記袋体が二枚の非透液性基材の周縁を接合して形成されている。
【０００９】
好ましい実施形態においては、上記吸収部が一方の上記非透液性基材に設けられ、上記第二の吸収部が他方の上記非透液性基材に設けられている。
【００１０】
好ましい実施形態においては、上記吸収部の厚みが２０〜５００μｍである。
【００１１】
本発明の別の局面においては、ペットの汚物処理用吸収具が提供される。本発明のペットの汚物処理用吸収具は、上記吸収具を用いる。
【発明の効果】
【００１２】
本発明によれば、吸水性樹脂を含む吸収部を備えることにより、吸収性に優れ、かつ、携帯性に優れる吸収具を提供することができる。
【発明を実施するための最良の形態】
【００１３】
以下、本発明の好ましい実施形態について説明するが、本発明はこれらの実施形態には限定されない。
【００１４】
Ａ．全体構成
図１は本発明の好ましい実施形態による吸収具１０の外観斜視図である。図２（ａ）は図１におけるＩＩ−ＩＩ線に沿う断面図であり、図２（ｂ）は（ａ）におけるＩＩｂ部分の拡大図である。この吸収具１０は、開口部１１を有する袋体１と、袋体１の外側に設けられた吸収部２とを有する。袋体１は、二枚の非透液性基材１ａ，１ｂの周縁を接合して形成される。このような構成とすることにより、吸収具１０がより薄くなり得、携帯性がさらに向上し得る。吸収部２は、被覆部３で覆われている。本実施形態では、吸収部２は、袋体１と被覆部３との間に挟持されている。袋体１の外側には、第二の吸収部４がさらに設けられている。吸収部２は袋体１の片側（一方の非透液性基材１ａ）に設けられ、第二の吸収部４は袋体１のもう片側（他方の非透液性基材１ｂ）に設けられている。以下、各部材について説明する。
【００１５】
Ｂ．袋体
上記袋体１は、非透液性である。本明細書において、「非透液性」とは、厳密に液体を透過しない場合のみならず、実質的に液体を透過しない場合も包含する趣旨である。袋体１の形成材としては、任意の適切な非透液性素材を採用し得る。具体例としては、ポリエチレン、ポリプロピレン、ポリアミド、ポリ塩化ビニル、ポリ塩化ビニリデン、ポリエステル等の熱可塑性樹脂フィルム、アルミニウム等の金属箔が挙げられるが、これらの中でも、生産性の面で、熱可塑性樹脂が好ましい。熱可塑性樹脂を採用することで、上述の非透液性基材の接合を熱融着（ヒートシール）により容易に行い得るからである。袋体１の大きさ、形状、厚み等は、特に限定されない。
【００１６】
Ｃ．吸収部
上記吸収部２は、吸水性樹脂を含む。吸水性樹脂を含むことにより、優れた吸収性を達成し得る。さらに、吸収部２の厚みを薄くし得、吸収具１をコンパクトに折りたたみ得る。その結果、優れた携帯性を達成し得る。
【００１７】
上記吸水性樹脂は、水に不溶で、かつ、水性液体を吸収し得る限り、任意の適切な樹脂を採用し得る。好ましくは、安価で、安全性、耐久性、吸水倍率や吸水速度、吸水力等の吸収性に優れ、かつ、腐敗の心配の無いものである。具体例として、ポリアクリル酸部分中和物架橋体、デンプン−アクリル酸グラフト重合体の中和物、デンプン−アクリロニトリルグラフト重合体の加水分解物、酢酸ビニル−アクリル酸エステル共重合体のケン化物、イソブチレン−無水マレイン酸共重合架橋体、アクリロニトリル共重合体若しくはアクリルアミド共重合体の加水分解物またはこれらの架橋体、アクリル酸塩−アクリルアミド共重合架橋体、ポリビニルアルコール架橋体、変性ポリエチレンオキサイド架橋体、アクリルアミド−２−メチルプロパンスルホン酸塩共重合架橋体、（メタ）アクリロイルアルカンスルホン酸塩共重合架橋体、架橋カルボキシメチルセルロース塩、カチオン性モノマーの架橋重合体等が挙げられる。これらは、単独で用いてもよく、また、二種類以上を適宜混合して用いてもよいが、これらの中でも、吸収性や安全性の面から、ポリアクリル酸部分中和物架橋体、デンプン−アクリル酸グラフト重合体の中和物が好ましい。
【００１８】
上記吸水性樹脂は、任意の適切な形状であり得、所定形状に造粒されていてもよく、不定形破砕状、球状、鱗片状、繊維状、棒状、塊状、粉末状等、種々の形状であってもよいが、好ましくは不定形破砕状、粉末状であり、さらに好ましくは粉末状である。このような形状とすることにより、吸収性に極めて優れ、さらに、吸収部をより薄くすることができるので携帯性にも極めて優れ得る。
【００１９】
上記吸収部２の吸水性樹脂の含有量は、吸収部２の構成、用いる吸水性樹脂の種類等に応じて、任意の適切な値に設定し得る。代表的には、吸収部２が、後述する粉末状の吸水性樹脂を複数の紙の間に挟持してなる吸水性シートである場合、紙の上に吸水性樹脂を１０〜３００ｇ／ｍ２撒布する。好ましくは２０〜２００ｇ／ｍ２であり、さらに好ましくは２０〜１２０ｇ／ｍ２である。
【００２０】
上記吸収部２は、他の吸収材、透液材、添加剤を含み得る。他の吸収材としては、例えば、吸収紙、粉砕パルプ、ポリビニルアルコール等の水溶性樹脂、スポンジ、吸水性繊維（例えば、東洋紡績株式会社製）等が挙げられる。透液材としては、例えば、後述する被覆部の形成材と同様のものが挙げられる。
【００２１】
上記吸収部２に種々の機能（例えば、加工性の改良、品質性能の向上）を付与する観点から、上記吸収部２は、添加剤を含み得る。例えば、シリカ微粒子等の無機微粒子からなる充填剤、活性炭や鉄フタロシアニン誘導体、植物性精油等を吸着させたゼオライト等を主体とする消臭剤または脱臭剤、芳香剤、ゼオライトや大谷石、臭素酸塩等を担持させた活性炭等を主体とするエチレンガス吸着剤等のガス吸着剤、銀や銅、亜鉛等の金属等を主体とする抗菌剤、殺菌剤、防カビ剤、防腐剤、脱酸素剤（酸化防止剤）、界面活性剤、発泡剤、顔料や染料からなる着色剤、香料等が挙げられる。
【００２２】
上記吸収部２は、好ましくはシート状に形成される。シート状に形成することで、携帯性にさらに優れ得る。吸収部２の構成としては、任意の適切な構成を採用し得る。代表的には、吸水性樹脂からなる吸水性樹脂シート、上記水溶性樹脂を含む水溶性シートに吸水性樹脂を担持してなる水溶性シート、複数の上記吸収材（シート状）間に吸水性樹脂を挟持してなる吸水性シート等が挙げられる。これらの中でも、吸収性の面から、粒子状の吸水性樹脂を複数の吸収材間に挟持してなる吸水性シートが好ましい。さらに好ましくは、粉末状の吸水性樹脂を複数の紙の間に挟持してなる吸水性シートである。吸収部２に吸水性樹脂をより均一に存在させ得、吸収性に極めて優れ得ると共に、吸収部をより薄くし得るからである。なお、吸収部２として、前記吸水性樹脂シート、水溶性シート、吸水性シートをそれぞれ単独で用いてもよく、二以上組み合わせて用いてもよい。
【００２３】
上記吸収部２がシート状である場合、厚みは、代表的には２０〜５００μｍ、好ましくは２０〜３００μｍ、さらに好ましくは２０〜２００μｍである。このような厚みとすることにより、吸収性にも携帯性にもさらに優れ得る。
【００２４】
上記吸収部２がシート状である場合、好ましくは、吸収部２はエンボス加工が施されている。エンボス加工が施されることにより、水性液体が吸収部２全体に拡散して行き渡り、水性液体をより一層速やかに吸収し得る。
【００２５】
Ｄ．被覆部
上記被覆部３は、透液性である。被覆部を設けることにより水性液体を吸収した吸収部２を保護して、耐久性が向上し得る。また、水性液体を吸収した吸収部２はふやけて、吸収カス（主に、膨潤ゲルの解砕物）が発生し得る。被覆部３を設けることにより、拭き取り後、被拭面に吸収カスが残存するのを防止し得る。
【００２６】
上記被覆部３の形成材としては、水性液体を透過し得る限り、任意の適切な素材を採用し得る。具体例としては、不織布、織布、穴やスリットを有する合成樹脂フィルム、紙等が挙げられる。不織布を形成する繊維としては、例えば、ポリエチレン、ポリプロピレン等のポリオレフィン繊維、ポリアミド繊維、ポリエステル繊維、アクリル繊維、ポリ塩化ビニル繊維、ポリ塩化ビニリデン繊維、レーヨン繊維等が挙げられる。織布を形成する繊維としては、例えば、前記の合成繊維；綿、麻、黄麻（ジュート）等の植物繊維；羊毛等の動物繊維等が挙げられる。合成樹脂フィルムとしては、ポリエチレンフィルムやポリプロピレンフィル等のポリオレフィンフィル、ポリエステルフィルム、ポリアミドフィルム、セルロースフィルム等が挙げられる。これらの中でも、不織布が好ましい。不織布を採用することにより、耐久性に極めて優れ得、それ自身が吸収カスを発生し得ることがない。また、被覆部の厚みを薄くし得、優れた携帯性を維持し得る。さらに、生産性に優れ得る。
【００２７】
Ｅ．第二の吸収部
上記第二の吸収部４は、任意の適切な吸収材で構成し得る。当該吸収材の具体例としては、紙、スポンジ、綿等の天然繊維織布、吸水性繊維（例えば、東洋紡績株式会社製）等が挙げられる。また、第二の吸収部４は、上記吸収部２と同様の構成を採用してもよい。第二の吸収部４を設けることにより、被覆部３を透過せず、吸収部２に吸収されなかった水性液体（遊離水）を拭き取ることができ、吸収性がさらに向上し得る。不織布で被覆部３を形成した場合は遊離水が発生しやすいので、特に好適である。好ましくは、第二の吸収部４は、図示例のように吸収部２と反対側に設けられている。このような構成とすることにより、吸収部２と第二の吸収部４とが同時に水性液体を吸収することがなく、それぞれの機能を十分に発揮し得る。
【００２８】
Ｆ．その他
本発明の吸収具は、任意の適切な他の部材を有し得る。他の部材としては、例えば、袋体１の内面を覆うようにして設けられる吸収材（例えば、紙）が挙げられる。
【００２９】
Ｇ．作製方法
本発明の吸収具は、任意の適切な方法により作製し得る。以下、代表例について説明する。図３に示すように、非透液性基材１ａ、吸収部２（シート状）、被覆部３をこの順で積層し、非透液性基材１ａの周縁と被覆部３の周縁とを接合して、積層体Ａを作製する。当該接合方法としては、例えば、ヒートシールする方法、超音波接着を施す方法、接着剤を用いて接着する方法等が挙げられる。非透液性基材１ｂに第二の吸収部（シート状）を貼着して、積層体Ｂを作製する。当該貼着方法としては、前記接合方法と同様の方法を採用し得る。次いで、非透液性基材１ａと非透液性基材１ｂとが向い合うように積層体Ａと積層体Ｂとを重ね合わせ、互いの周縁を接合して吸収具１を作製する。その際、周縁の一部は接合せず、当該非接合部を開口部１１とする。
【００３０】
Ｈ．使用方法
本発明の吸収具の使用方法としては、例えば、開口部１１から手を挿入して、尿等の水性液体に吸収部２を押し当てて、当該水性液体を吸収部２に吸収させる。吸収部２で十分に水性液体を吸収できなかった場合は、残りの水性液体を第二の吸収部４で拭き取る。拭き取り後は、袋体１の内面（非透液性基材側）を外側に反転させて、拭取り面を内側にする。
【実施例】
【００３１】
以下、実施例により本発明をより詳細に説明するが、本発明はこれらの実施例には限定されない。
【００３２】
（吸収部の作製）
縦２０ｃｍ×横２０ｃｍの紙（坪量２０ｇ／ｍ２、クレープ紙、特種メーテル株式会社製）の上に、吸水性樹脂（粉末状、吸収倍率（生理食塩水による）：５０倍、商品名：アクアリックＣＡ−Ｋ４、株式会社日本触媒製）を樹脂量が４０g／ｍ２となるように均一に撒布した。次に、この吸水性樹脂の上に、縦２０ｃｍ×横２０ｃｍの紙（坪量２０ｇ／ｍ２、クレープ紙、特種メーテル株式会社製）を積層した後、得られた積層物をエンボス加工して一体化し、厚み１００μｍの吸水性シートを得た。
【００３３】
（積層体Ａの作製）
非透液性基材として、縦２０ｃｍ×横２５ｃｍのポリエチレンフィルム（厚み１８μｍ、大倉工業株式会社製）を用いた。被覆部として、縦２５ｃｍ×横２５ｃｍのポリエチレン−ポリプロピレン−ポリエステル複合繊維で形成された不織布（坪量３２ｇ／ｍ２、福助工業株式会社製）を用いた。
非透液性基材の上に、中心を合わせるようにして、上記で得られた吸水性シートを積層した。さらに、吸水性シートの上に、中心を合わせるようにして、被覆層を積層した。その際、不織布の上辺部２．５ｃｍと下辺部２．５ｃｍとを吸水性シートを包むように折り返した。次いで、非透液性基材の周縁と被覆部の周縁とを、吸水性シートを内包するようにして、１ｃｍの幅でヒートシールした。このようにして縦２０ｃｍ×横２５ｃｍの積層体Ａを作製した。
【００３４】
（積層体Ｂの作製）
非透液性基材（縦１８ｃｍ×横２５ｃｍのポリエチレンフィルム、厚み１２μｍ、大倉工業株式会社製）の上に、第二の吸収部として縦１８ｃｍ×横２５ｃｍの紙（坪量３７ｇ／ｍ２、クレープ紙、特種メーテル株式会社製）を積層した後、両者をヒートシールして、縦１８ｃｍ×横２５ｃｍの積層体Ｂを作製した。
【００３５】
（吸収具の作製）
互いの非透液性基材が向い合うように上記積層体Ａと上記積層体Ｂとを重ね合わせ、互いの周縁（開口部となる上辺部を除く）を１ｃｍの幅でヒートシールして吸収具を作製した。こうして得られた吸収具は、２つ折りまたは４つ折りとして、ポケットサイズに収納することができた。
【産業上の利用可能性】
【００３６】
本発明の吸収具は、ペット、被介護者、乳幼児等の汚物処理に好適に用いられる。また、家庭内、店内等の床に、ジュース等の飲み物をこぼした場合や結露水の処理にも好適に用いられる。
【図面の簡単な説明】
【００３７】
【図１】本発明の好ましい実施形態による吸収具の外観斜視図である。
【図２】（ａ）は図１におけるＩＩ−ＩＩ線に沿う断面図であり、（ｂ）は（ａ）におけるＩＩｂ部分の拡大図である
【図３】図１に示す吸収具の作製方法を示す説明図である。
【符号の説明】
【００３８】
１        袋体
２        吸収部
３        被覆部
４        第二の吸収部
１０      吸収具
【図１】
2008067619.tif 000003
【図２】
2008067619.tif 000004
【図３】
2008067619.tif 000005